【事件の表示】
　平成４年特許願第３１５８３２号「イメージ関連装置およびコードストリップ」拒絶査定不服審判事件〔平成５年９月１７日出願公開、特開平５−２４０６７１〕について、次のとおり審決する。
【結　論】
　　本件審判の請求は、成り立たない。
【理　由】
１．手続きの経緯・本願発明
　　本願は、平成４年１０月３０日（パリ条約による優先権利主張１９９１年１０月３０日、米国）の出願であって、その請求項１ないし１１に係る発明は、平成１１年８月１９日受付け、平成１４年５月２０日受付け、及び平成１４年１０月１５日受付けの手続き補正により補正された明細書及び図面からみて、その特許請求の範囲の請求項１ないし１１に記載されたとおりの以下のものと認められる。
【特許請求の範囲】
　　【請求項１】
　イメージ関連装置のキャリッジの位置決めをおこなうコードストリップにおいて、
　視覚イメージ保持
可能な
　前記ストリップの
両方の
張力を加えた状態で
　前記ストリップに沿って一連の間隔の狭い目盛りによって画定される前記キャリッジの位置を確立するために設けられた光学的判別手段と、を有し、
  
前記ストリップは金属であり、
　
前記取り付け手段は、前記ストリップの端部に設けられた柱からなり、前記ストリップは張力を加えた状態でこの柱に取り付けられるべく、ストリップの端部は少なくとも部分的にこの柱の回りに巻き回されている
　　【請求項２】
　
前記ストリップは前記柱の回りに約９０度の角度で巻き回されていることを特徴とする請求項１に記載のコードストリップ。
　　【請求項３】
　
前記ストリップの一方の端部には前記柱に取り付けるために３つの穴が設けられ、これらのうちの中央の穴は相対的に大きく、ストリップにかかる前記張力の大部分を受け、前記ストリップの目盛り側に近い小さい穴はコードストリップの位置決めのために働き、さらに最外端の穴はストリップの長さ方向に平行な短いスロットであって、前記ストリップ端部のしり振りを防止することを特徴とする請求項１に記載のコードストリップ。
　　【請求項４】
　
前記柱は、湾曲する、ばねのあるプレートとして構成され、この湾曲動作により前記ストリップを張力のかかった状態に保つことを特徴とする請求項１に記載のコードストリップ。
　　【請求項
５
　前記一連の目盛りによって画定される手段は、前記ストリップ上に設けられる複数の細長いオリフィスから成ることを特徴とする請求項１記載のコードストリップ。
　　【請求項
６
　前記金属ストリップは、張力が加えられて取り付けられたときの
構造上の安定性を備えるべく、ストリップ幅方向において比較的広い幅の孔の無い部分と、同じく孔のない比較的狭い幅の孔の無い縁部分を含み、前記広い幅の孔のない部分と前記狭い幅の孔のない縁部分との間に
　　【請求項
７
　前記ストリップは、
「Ｄサイズ」シートの
１〜６
　　【請求項
８
　前記ストリップは約０．０５１ｍｍの厚さを有し、前記目盛りは実質的に前記ストリップに沿って均一な間隔をあけて設けられており、１ｃｍあたり６０またはそれ以上の目盛りが設けられることを特徴とする請求項
１〜４
　　【請求項
９
　前記ス
トリップの前記孔のない部分及び孔のない縁部分の合計の幅は、前記ストリップ幅方向における前記各オリフィスの長さより
　　【請求項
１０
　用紙などの視覚イメージ保持媒体に対して用いられる大型フォーマット用イメージ関連装置において、
　前記媒体を保持する手段と、キャリッジと、前記キャリッジを支持する手段と、前記キャリッジは前記支持手段に沿って前記保持手段を横切るように移動することができ、前記キャリッジ上に保持された１または複数のイメージ・トランスジューサと、
前記請求項１から９のいずれか一つに記載のコードストリップを含み、前
　　【請求項１１】
　
さらに、
を備え、
の一方に
他方に
（以下、請求項順に「本願発明１」〜「本願発明１１」という。）　
　　
２．原査定の拒絶の理由の概要
　　これに対して、原査定の拒絶の理由の概要は、本願発明は、本願出願の日前に頒布された以下の文献に記載された発明に基づいて当業者が容易に発明をすることができたものであるから、特許法第２９条第２項の規定により特許を受けることができない、というものである。
　　なお、以下、これら文献を順に「引用例１」〜「引用例５」という。
　　
　文献１：実願平０１−１４７５０８号（実開平０３−０８７２５８号）
　　　　　のマイクロフィルム
　文献２：実願昭５８−１７８７２３号（実開昭６０−０８６９１６号）
　　　　　のマイクロフィルム
　文献３：特開平０２−０６２２７５号公報
　文献４：特開昭６４−０００４１６号公報
　文献５：特開平０２−０００５５５号公報
　　
３．引用例1、２の記載内容
３−１　引用例１
【実用新案登録請求の範囲】
「往復移動するキャリッジと、該キャリッジに位置決め固定されたプリントヘッドと、前記キャリッジに固定され、発光素子と受光素子を対向させたフォトセンサと、該素子間に等間隔に刻まれたスリットパターンの形成された薄板よりなるリニアエンコーダとを備え、前記キャリッジが移動することにより、前記リニアエンコーダを介して光を受光し、前記フォトセンサで変換、発信する電気パルス信号を前記プリントヘッドの位置検出として用いる位置検出装置において、前記リニアエンコーダを粘着層を介して固定プレートに固定し、キャリッジ摺動領域上に位置決め配置したことを特徴とする位置検出装置。」
　　
「〔産業上の利用分野〕
　本考案はエンコーダ等を用いてプリントヘッドの位置を検出する位置検出装置に関するものである。
〔従来の技術〕
　従来、通常のプリンタでは、プリントヘッドを搭載したキャリッジをプラテンに対して左右方向に往復させながら、記録紙にプリントさせている。……。このリニアエンコーダの固定方法としては、従来第１図に示されるように、軽量な薄いポリエステルフィルムにスリットパターンを印刷したリニアエンコーダ１の一端を固定し、もう一端をバネ２を使って張力を与え、ポリエステルフィルムのスリットパターンにゆがみを生じさせないように一直線上に引張るか、あるいは第２図に示されるように、薄いステンレス板にフォトエッチングを施してスリットパターンを構成したリニアエンコーダ１を別部材である固定プレート３にネジ４を使用して数カ所で位置決め固定する方法が取られていた。」（２頁２行〜３頁１２行）
　　
〔実施例〕
「第３図は本考案の一実施例を示すリニアエンコーダの取付図で第４図はその側断面図である。
　リニアエンコーダ１は公差±１０μｍという高精度なマスクパターン幅を形成するため厚さ０．０８ｍｍの薄いステンレス板を両面エッチングにより１／２４０インチに長方形に打ち抜き，１／１２０インチ間隔のマスクパターンを構成している。このリニアエンコーダ１の片面には厚さ０．１５ｍｍのアクリル系の両面粘着テープ６が貼られていて、リニアエンコーダ１を位置決め固定するために数カ所にダボ５を配した固定プレート３に取り付けられる。ここで固定プレート３はキャリッジ移動領域５００ｍｍ以上の長さを有し、かつ固定プレート３によって、貼り付けたリニアエンコーダ１の厚さ方向のゆがみや曲がりによって位置検出精度に影響を及ぼさないように厚さ１．６ｍｍの冷間圧延鋼板を使用している。」（６頁１〜１７行）
　　
「第５図は本考案の一実施例であるプリンタのキャリッジ走査部の要部構成図である。本実施例のリニアエンコーダ１を位置決め固定した固定プレート３はサイドフレーム１５にネジ止め固定され、キャリッジ１１摺動上に取り付けられる。キャリッジはタイミングベルト７を介してモータ８より動力を受けてガイド軸Ａ１２、ガイド軸Ｂ１３に沿って往復動作し、キャリッジ１１に固定されたフォトセンサ９はキャリッジ１１の往復動作により間隔1.7mm開けて対向する発光素子と受光素子に、平行にはさまれたリニアエンコーダ１に沿って移動し、リニアエンコーダ１のスリットパターンにより発光素子の発する光の強弱を受光素子が受けてデジタル式の電気信号に変換し、キャリッジ１１の位置に同期して１／１２０インチ刻みに高、低レベルの電気信号を繰り返し交互に発信する。キャリッジ１１上にはその移動と直角方向に複数個の記録素子が配列されたプリントヘッド１０が搭載され、リニアエンコーダ１から得られたキャリッジ位置信号をプリントタイミングとしてプリントヘッド１０に対し絶対位値で記録紙上に記録する。」（６頁１８行〜７頁１９行）
　　
　　以上の記載からみて、引用例１には、次の発明の記載が認められる。
「プリンタのプリントヘッドを搭載したキャリッジの位置決めをおこなうリニアエンコーダにおいて、
　リニアエンコーダの片面には両面粘着テープが貼られており、リニアエンコーダを位置決め固定するための数カ所にダボを配した固定プレートに取り付けられており、
　前記リニアエンコーダに沿って一連のスリットパターンによりキャリッジの位置を確立するために設けられた光学的判別手段と、を有し、
　前記リニアエンコーダは金属であるリニアエンコーダ。」
（以下、「引用発明１」という。）
　　
　　また、プリントヘッドをキャリッジに搭載したプリンタは、一般的にみて、
記録用紙を保持する手段と、キャリッジと、前記キャリッジを支持する手段と、前記キャリッジは前記支持手段に沿って前記保持手段を横切るように移動することができ、前記キャリッジ上に保持された１又は複数のプリントヘッドとを有しており、キャリッジの位置および前記プリントヘッドの位置を前記保持手段によって保持された前記記録用紙に対して決定する手段を有する構成のものであって、この引用例１においては、プリンタにおけるプリントヘッドの位置を検出する位置検出装置に関することが明らかであることから、前記一般的な構成を前提として、以下の発明が把握できる。
　　
「記録用紙にプリントするのに用いられるプリンタにおいて、
　前記記録用紙を保持する手段と、キャリッジと、前記キャリッジを支持する手段と、前記キャリッジは前記支持手段に沿って前記保持手段を横切るように移動することができ、前記キャリッジ上に保持された１又は複数のプリントヘッドと、引用発明１のリニアエンコーダを含み、前記キャリッジの位置および前記プリントヘッドの位置を前記保持手段によって保持された前記記録用紙に対して決定する手段とを含むプリンタ。」
（以下、「引用発明２」という。）
　　
３−２　引用例２
〔考案の利用分野〕
「本考案は光電式エンコーダの固定スリット板取付構造に係り、さらに詳述すれば、円周に沿って一定ピッチで同じスリット幅の透光スリットを設けた円板を回転体の回転軸に一体的に取付けて移動スリット板とし、上記透光スリットと同じ幅と同じピッチの少数個の透光スリットを備えたほぼ矩形状の板を上記移動スリット板と小空隙を介して平行に対向する位置に固定支持して固定スリット板とし、移動スリット板の背後の光源からの光を両スリット板のスリットを通過させこの通過光を光電変換して上記回転体の回転移動量に応じた電気信号を得る無接触形の光電式エンコーダにおける固定スリット板の取付構造に関するものである。」（１頁９行〜２頁１行）
　　
〔考案の背景〕
「固定基台４は、通常、アルミニウム合金又は樹脂の成形品が使用され、又固定スリット板６はニッケル又はステンレス鋼の薄板が使用される。」（６頁１５〜１７行）
　　
〔考案の実施例〕
「このような固定構造とすることにより、エンコーダの周囲温度が変化して、固定スリット板16と基台４とが、構成材料が異なるなどの理由で締結部位の寸法に差異が生じることから発生する固定スリット板16の変形を、固定スリット板16の片側の締結部を、板面と平行方向にのみ移動可能とすることで防止し、温度変化の影響を受けない光学式エンコーダとすることができる。」（９頁３〜１０行）
　　
　　ここで、固定スリット板16は、光学式エンコーダを構成する部品であり、コードストリップといえることから、当該引用例２においても、コードストリップを、ニッケル又はステンレスで形成する点が開示されている。
　　
４．当審の判断
４−１　本願発明１と引用発明１との対比
　　引用発明１の「プリンタ」、「プリンタのプリントヘッドを搭載したキャリッジ」、「リニアエンコーダ」、「プリントされる記録紙」及び「前記エンコーダに沿って一連のスリットパターンによりキャリッジの位置を確立するために設けられた光学的判別手段」は、それぞれ、
本願発明の「イメージ関連装置」、「イメージ関連装置のキャリッジ」、「コードストリップ」、「視覚イメージ保持
可能な
　　そして、引用発明１の「リニアエンコーダ」と本願発明の「コードストリップ」は、いずれもイメージ関連装置に取り付けて用いられるものである点で共通している。
　　してみれば、両者の一致点と相違点は以下のとおりである。 
　　
 　＜一致点＞
「イメージ関連装置のキャリッジの位置決めをおこなうコードストリップにおいて、
　前記ストリップは、前記イメージ関連装置へ取り付ける手段と、
　前記ストリップに沿って一連の間隔の狭い目盛りによって画定される前記キャリッジの位置を確立するために設けられた光学的判別手段と、を有し、
  
前記ストリップは金属であ
　　
　＜相違点１＞コードストリップの長さに関して、
本願発明１では、
「視覚イメージ保持
可能な
引用発明１では、ストリップ長さが定かでない点。
　　
　＜相違点２＞コードストリップの取付手段に関して、
本願発明１では、
「前記ストリップは、前記イメージ関連装置へ取り付ける手段と、…を有し、」及び「
前記ストリップの端部に設けられた柱からなり、前記ストリップは張力を加えた状態でこの柱に取り付けられるべく、ストリップの端部は少なくとも部分的にこの柱の回りに巻き回されている
引用発明１では、リニアエンコーダを固定プレートに両面接着テープで取り付けられるものであって、前記特定を有しない点。 
 　 
４−２　上記の相違点１についての検討
　　本願発明１におけるコードストリップは、当該ストリップに沿って付された一連の間隔の狭い目盛りをもって、視覚イメージ保持可能なシートに対するキャリッジの位置を確立するものである以上、当該コードストリップの目盛りを付された部分の長さは、キャリッジが移動する範囲の長さを有することとなるのは自明である。
　　そして、当該ストリップは、イメージ関連装置に取り付けられるものであることからして、いずれかの部位に取り付けに供する部分が存在しており、本願発明１に係る、後で検討する相違点２に明らかなように、ストリップ端部を取り付けに供する場合においては、取り付けに供する部分の長さが前記目盛りを付された部分の長さに加えて必要となることも自明なことである。
　　してみるに、相違点１に係るコードストリップの長さの相違は、採用された取り付け方に応じて、当業者が適宜採用し得た程度のものであって、格別なものとはいえない。
 　 
４−３　上記の相違点２についての検討
　　引用例１の前記摘示した〔従来の技術〕では、コードストリップに軽量な薄いポリエステルフィルムを用いた場合に、スリットパターンのゆがみを生じないように一直線状に引張ることが記載されている。
　　そして、コードストリップに付したスリットパターンを基にして位置決めを行う以上、コードストリップ自体にゆがみを生じないように構成すべきであることは自明であるとともに、金属ストリップであっても、高精度なスリット幅（オリフィスの幅）を形成すべく厚さ０．０８ｍｍの薄いステンレス板を採用する場合等においては、適度な張力を与えるべきであることは、原拒絶査定時に提示された特開昭６２−２７８０７１号公報、特開昭５９−２２４３７９号公報、特開昭６２−１１７７７９号公報等にみられるように、当業者にとり周知な事項であるといえる。
　　してみれば、前記相違点２に係るコードストリップの取付手段に関して、コードストリップに張力を加えた状態で取り付けるようになすことは、当業者であれば適宜採用し得た程度のことである。
　　
　　なお、本願発明１においては、当該取付手段に関して、「
前記ストリップの端部に設けられた柱からなり、前記ストリップは張力を加えた状態でこの柱に取り付けられるべく、ストリップの端部は少なくとも部分的にこの柱の回りに巻き回されている
　　この点、本願明細書では、【発明の概要】に係る段落【００１２】に
「本発明は以下に詳述するように２つの重要な局面を有する。原理的には独立したものであるが、２つの局面を協調させて利用し、本発明の利点を最大限に活用することが好ましい。
　第１の局面では、本発明は大きなフォーマットの自動イメージ関連装置のキャリッジを位置決めするために用いられるコードストリップに関するものである。コードストリップは、大きなフォーマットの視覚イメージ保持シートの横寸法よりも長く、金属ストリップから構成される。
　本発明の第１の局面にはこのようなイメージ関連装置に対してストリップを張力によって取りつける手段が含まれている。ここでは、一般に「取り付け手段」と称する。
　これらの取り付け手段はストリップの両端に形成される。取り付け手段は、ホール、ノッチ、変形または溶接ボス等の種々の取り付け手段、さらに取り付け具にクランプすることによって保持される、実質的にフィーチャーのない部分まで含むことができる。
　本発明では、ストリップに沿って形成された、きわめて狭い一連のオリフィスも含まれる。これらのオリフィスは、ストリップに沿ったこのようなキャリッジの位置を設定するための精密な目盛りの働きをする。」なる記載が、また、同段落【００１３】に
「以上は、本発明の第１の局面について一般的な説明／定義である。上述から明らかなように、このような説明であって主な局面に関する前述の従来技術についての問題点は本発明によって解決されることが理解される。
　つまり、金属ストリップを用いることによって、湿度に対するキャリッジ位置決定の感度を除去し、張力及び温度に対する感度をほぼ排除する。かなり強い取り付け張力を用いることができるので、マイラー製ストリップにおいて経験した湾曲(creep) 等の永久ひずみを実質的に除去することができる。
　しかし、本発明の利点を強化または最適化するいくつかの機能または特性を追加して本発明を実施することが好ましいことはもちろんである。
　例えば、金属ストリップは上述の張力のかかる取り付け時に構造的に安定した、比較的ブロードで、実質的に孔のない部分より構成することが好ましい。また、コードストリップは、比較的狭い、孔のない周縁部から構成され、ストリップの孔のないブロードな部分と狭い部分の間には、一連のオリフィスが形成されていることが好ましい。」なる記載がある。
　　しかしながら、これら記載からは、本願発明１にいう「取付手段」が、コードストリップに一体化されたものであるのか否か明らかではなく、金属ストリップとしたことでかなり強い張力を用い得ること、また、コードストリップ端部において孔のない部分を要することが規定されているに過ぎない。
　　そこで、本願明細書の【発明の実施例】に係る段落【００３０】を参照するに、
「コードストリップ３１の端部には、４つの取り付け穴、すなわち、左端の３５ａ〜３５ｃ及び右端の３５ｄが含まれている（図１０、図１１、図１３、図１４参照）が含まれている。左端の３つの穴は本質的に剛性ブロックである柱４１に取り付けるためのものである（図１３、図１５、図１６参照）。」なる記載があり、更に同段落【００３３】には、
「図２に最もよく示されているように、ストリップの左端はその柱４１のまわりに前方向に巻き付けられる。ストリップの右端はその柱５１のまわりに後方向に巻き付けられる。
　ストリップ３１の右端における単一の穴３５ｄは、バネ鋼の比較的薄いプレートの右側の柱５１に保持された（例えば、溶接またははんだ付けによって）ネジ付きスタッドとかん合する。」なる記載がある。
　　すると、実施例においてストリップ３１は、少なくとも柱５１とは別体であって、これに巻き付けられ、柱５１側のネジ付きスタッドとかん合されるものである。
　　してみると、本願発明１に係る請求項記載では、「前記ストリップは、前記イメージ関連装置へ取り付ける手段と、…を有し、」なる特定がされているものの、ストリップ端部に柱が一体化されているものを特定しているものとは解し得ず、実施例に係る柱４１或いは柱５１に巻き付けられるところの、前記本願明細書でいう「比較的ブロードで、実質的に孔のない部分」を有し、「比較的狭い、孔のない周縁部から構成され」ることが、本願発明１で採用されている構成と解するのが自然である。
　　そして、このような取り付け用の穴を備えたコードストリップの構成は、前記周知な張力を与える取り付け手法を採用するものにおいて一般的なものであって、このような「比較的狭い、孔のない周縁部」を備えることが格別なものとはいえない。
　　したがって、本願発明１は、引用発明１において周知な張力を与える取り付け手法を採用すべく構成することで当業者であれば容易に発明をすることができたもの、と判断せざるを得ない。
　　
　　なお、取り付け手段に関しては、「イメージ関連装置」に組み込むことが明示され、コードストリップを取り付ける手段が、当然に必要と解される本願発明１を引用するところの本願発明１０において検討する。
　　
４−４　本願発明１０と引用発明２との対比
　　引用発明２の「記録用紙」、「プリンタ」、「記録用紙を保持する手段」、「キャリッジ」、「前記キャリッジを支持する手段」、「キャリッジ上に保持された１又は複数のプリントヘッド」及び「前記キャリッジの位置および前記プリントヘッドの位置を前記保持手段によって保持された前記記録用紙に対して決定する手段」は、それぞれ、
本願発明１０の「用紙などの視覚イメージ保持媒体」、「イメージ関連装置」、「前記媒体を保持する手段」、「キャリッジ」、「前記キャリッジを支持する手段」、「キャリッジ上に保持された１または複数のイメージ・トランスジューサ」及び「前記キャリッジの位置および前記イメージ・トランスジューサの位置を前記保持手段によって保持された前記媒体に対して決定する手段」に対応するものである。
　　そして、引用発明１の「リニアエンコーダ」と本願発明の「コードストリップ」は、いずれもイメージ関連装置に固定して用いられるものである点で共通している。
　　してみれば、両者の一致点と相違点は以下のとおりである。 
　　
 　＜一致点＞
「用紙などの視覚イメージ保持媒体に対して用いられるイメージ関連装置において、
　前記媒体を保持する手段と、キャリッジと、前記キャリッジを支持する手段と、前記キャリッジは前記支持手段に沿って前記保持手段を横切るように移動することができ、前記キャリッジ上に保持された１または複数のイメージ・トランスジューサと、コードストリップを含み、前記キャリッジの位置および前記イメージ・トランスジューサの位置を前記保持手段によって保持された前記媒体に対して決定する手段とを含むイメージ関連装置。」
　　
 　＜相違点３＞本願発明１０では、「大型フォーマット用」と特定されるとともに、コードストリップに関して少なくとも本願請求項１記載のものであることが特定され、本願請求項１記載の「前記ストリップは、前記イメージ関連装置へ取り付ける手段と、…を有し、」及び「
前記ストリップの端部に設けられた柱からなり、前記ストリップは張力を加えた状態でこの柱に取り付けられるべく、ストリップの端部は少なくとも部分的にこの柱の回りに巻き回されている
引用発明２では、コードストリップは引用発明１のものであって、前記特定を有するものとはいえない点。
　　
４−５　上記の相違点３についての検討
　　相違点３に係る「大型フォーマット用」なる特定は、イメージ装置が大型であること（常識的にみて大きな記録媒体を扱い得ること）を意味しているに過ぎず、この大型であることに基づいた具体的構成が特定されているものではなく、ユーザーの要請に応じて当業者が適宜の大きさのイメージ装置を構成することを記載したに過ぎないものといえる。
　　
　　次に、前記本願発明１の検討においては、取り付け手段がコードストリップとしての本願発明１の備える構成であるとは把握し得ないものとした。
　　しかしながら、当該本願発明１０においては、イメージ関連装置におけるキャリッジの位置及びイメージ・トランスジューサーの位置を媒体に対して決定する手段を構成する上で、コードストリップを取り付ける手段は当然に必要であり、本願請求項１に係る前記相違点２に摘示した特定は意味あるものとなる。
　　他方、コードストリップである引用発明１が既に金属ストリップからなるものであること、また、張力を与える取り付け手法を採用するにあたって、取り付けのための穴を備えること、また、前記本願明細書でいう「比較的ブロードで、実質的に孔のない部分」を有し、「比較的狭い、孔のない周縁部から構成され」ることが格別な構成ではないことは、前記相違点２で検討したとおりである。
　　してみるに、本願発明１０においては、本願請求項１に係る「前記ストリップは、前記イメージ関連装置へ取り付ける手段と、…を有し、」及び「
前記ストリップの端部に設けられた柱からなり、前記ストリップは張力を加えた状態でこの柱に取り付けられるべく、ストリップの端部は少なくとも部分的にこの柱の回りに巻き回されている
　　
　　ここで、コードストリップは一般的にリボン様の形態をなす以上、それを長く構成した場合に、たるみを生じる可能性があることは自明なことであり、それを解消すべく張力を加えるべきであることは、前記引用例１の従来技術記載にもみられるように、技術常識に属することである。
　　また、ある程度の幅広い長尺状の部材に適度な張力を加えるべく、前記長尺状部材の長手方向に直交する角を構成する部材に、前記長尺状部材を巻き回して固定することは、実願昭６１−１５５８８３号（実開昭６３−６１１４３号）のマイクロフィルム或いは実願昭６２−２００８３４号（実開平１−１０６１６６号）のマイクロフィルム等にみられるように、様々な技術分野において慣用されている技術である。
　　してみれば、本願発明１０において、ストリップをイメージ関連装置へ取り付けるに際して、「
前記ストリップの端部に設けられた柱からなり、前記ストリップは張力を加えた状態でこの柱に取り付けられるべく、ストリップの端部は少なくとも部分的にこの柱の回りに巻き回されている
　　
５．むすび
　　以上の検討のように、本願発明１と引用発明１との相違点１、２或いは本願発明１０と引用発明２との相違点３のいずれも、当業者が容易に想到し得た程度のものであるから、これら相違点に係る構成を備えた本願発明１或いは本願発明１０の作用効果も、当業者であれば容易に推察可能なものでしかない。
　　したがって、本願発明１或いは本願発明１０は、引用例１及び２に記載された発明、及び周知な事項或いは慣用される技術に基づいて、当業者が容易に発明をすることができたものであり、特許法第２９条第２項の規定により特許を受けることができない。 
　　よって、結論のとおり審決する。